(57)【要約】      （修正有）【課題】釣りの最中に、友釣り用の曳船と釣人のベルトとを繋ぐ保持紐の長さを簡単に変えることができ、なおかつその長さを自動的に保持して、両手を自由にして他の作業を両手で行えるような友釣り曳船保持紐の長さ調節留具を提供する。【解決手段】友釣り用の曳船Ｃと釣人のベルトとを繋ぐ保持紐Ｄに用いるものであって、該保持紐Ｄの友釣り用の曳船Ｃと釣人のベルトとの間を所望の長さに調節可能な長さ調節部材１を設け、該調節部材１にベルトに装着可能な装着部材５を設けた友釣り曳船保持紐Ｄの長さ調節留具である。【選択図】図１
2004187647.tif 000002
【特許請求の範囲】
【請求項１】
友釣り用の曳船と釣人のベルトとを繋ぐ保持紐に用いるものであって、該保持紐の友釣り用の曳船と釣人のベルトとの間を所望の長さに調節可能な長さ調節部材を設け、該調節部材にはベルトに装着可能な装着部材を設けたことを特徴とする友釣り曳船保持紐の長さ調節留具
【請求項２】
前記長さ調節部材は、友釣り用の曳船が流に曳かれる作用によって保持紐に食い込む食込部材を設けたことを特徴とする請求項１に記載の友釣り曳船保持紐の長さ調節留具
【発明の詳細な説明】
【０００１】
【発明の属する技術分野】
本発明は、鮎などの友釣り用のおとり曳船の曳船保持紐の技術分野に属する。
【０００２】
【従来の技術】
従来より、鮎などの友釣りにおいては、おとりを入れる曳船などの魚入れ容器を腰ベルトにロープなどの保持紐を付けて流していた。
この魚入れ容器である曳き船は、川の流れによって釣り人から有る程度離れた地点の水面に浮かべられ係留される(例えば、特許文献１、２参照)。そして、釣り人は、竿の釣り糸の先端近傍におとりの鮎を取り付け、接近する鮎を掛け鈎りに引っ掛けて吊り上げるが、吊り上げた鮎あるいはおとりの鮎をこの曳船の中に収容する。
この時、有る程度離れた地点に水面に浮かべられている曳船を、両手で保持紐をたぐり寄せ、釣り人に近接した時点で片手でその状態を維持し、他の片手で曳船の蓋を開ける等の操作をしていた。
【０００３】
【特許文献１】
特許第２８９２５８０号公報
【特許文献２】
実開平６−１１４７１号公報
【０００４】
【発明が解決しようとする課題】
しかしながら、曳船を釣り人に近接した時点で片手でその状態を維持しておくため、掛け鈎りに引っ掛かった鮎を掛け鈎から外すには両手を必要とすることがしばしばあり、この時は保持紐を股に挟むなどの厄介な動作をするといった問題点があった。
本発明は、このような事情に鑑みてなされたもので、釣りの最中に、友釣り用の曳船と釣人のベルトとを繋ぐ保持紐の長さを簡単に変えることができ、なおかつその長さを自動的に保持して、両手を自由にして他の作業を両手で行えるような友釣り曳船保持紐の長さ調節留具を提供することにある。
【０００５】
【課題を解決するための手段】
上記の課題を解決すべく、請求項１の発明は、友釣り用の曳船と釣人のベルトとを繋ぐ保持紐に用いるものであって、該保持紐の友釣り用の曳船と釣人のベルトとの間を所望の長さに調節可能な長さ調節部材を設け、該調節部材にはベルトに装着可能な装着部材を設けたことを特徴とする友釣り曳船保持紐の長さ調節留具である。
請求項２の発明は、請求項１の長さ調節部材は、友釣り用の曳船が流れに曳かれる作用によって保持紐に食い込む食込部材を設けたことを特徴とする請求項１に記載の友釣り曳船保持紐の長さ調節留具である。
【０００６】
【発明の実施の形態】
本発明の好適な実施例の鮎の友釣り曳船保持紐の長さ調節留具を、図面に沿って説明する。
図１は、友釣り曳船と、その保持紐に長さ調節留具を用いた使用の状態の全体の概略を示す図である。
鮎友釣りをする釣り人Ａは、友釣り用の曳船Ｃをロープなどの保持紐Ｄを繋いで水面に流して、保持紐Ｄの末端部Ｅをその腰ベルトＢに適所に係止しており、それとは別に、保持紐Ｄの適所に本実施例の友釣り曳船保持紐の長さ調節留具１が腰ベルトＢに適所に係止している。
【０００７】
この調節留具１は、主に、図２に示すような調節留具１の外枠体２、図３に示すような（保持紐Ｄに食い込む）食込部材３、ベルトＢに装着可能な装着部材４、５、図４に示すような組み立て固定部材６から構成され、組み立て完成後の構成は図６、図７に示すようなもので詳細は後述する。
まず、調節留具１の調節留具の外枠体２を主に図２を参照して説明するが、外枠体２は多少弾力を有する金属製で外枠体２の下端には、保持紐Ｄの直径より幾分大きい内径Ｘを有する保持紐を収納する円筒部２１が設けられ、円筒部２１の上部は一対の平板部２２に分かれ、上方に開放されている。上方に開放されているのは保持紐Ｄが上方の開放端から挿入でき、円筒部２１の内壁211に簡単に収納するための構成である。また、一対の平板部２２は上方に金属材質の弾力により開放されているが、多少弾力があれば合成樹脂製で制作してもよい。
なお、一対の平板部２２は弾力で開放されているが、組み立てに際しては図２(ｂ)の矢印Ｇの方向にお互いを合わされる。
前記円筒部２１の上部の一対の平板部２２（221,222）の外形形状は、図２に示すように、片側は扇状部２３(図２の左側)と、反対側には直線部２４とそれに続く逆円弧状部２５(図２の右側)から形成され、それぞれの扇状部２３の上端部には内側に折り曲げられた側面部２６（261、262）が設けられ、組み立て後には一対の側面部２６(261,262）の端面263、264は密接するが、その時、側面部２６の存在によって一対の平板部221,222の間に後述する食込部材３の厚さ以上の所定の距離が保たれることになる。
平板部２２（221,222）の片側の外形形状を直線部２４とそれに続く逆円弧状部２５としたのは、釣りをしているときに保持紐Ｄなどのロープが調節留具１の外枠体２に接触しても、直線部２４と逆円弧状部２５に沿って移動することにより保持紐Ｄが調節留具１に絡まないようにしたためである。
また、一対の平板部２２(221,222)の中央のやや逆円弧状部２５(図２の右側)寄りには、一対の孔２７が設けられている。
【０００８】
次に、調節留具１の調節留具の外枠体２に組み込む食込部材３について、主に図３を参照して説明するが、図３(ａ)は食込部材３とそれにベルトＢに装着可能な装着部材４、５を示す図で、図３(ｂ)は図３(ａ)の（１）−（１）線での断面である。
食込部材３は保持紐Ｄに食い込み係止するもので、図３に示すように、全体は包丁状をしており右下の回動軸孔３１を中心として回動し、背部３２は外枠体２の扇状部２３をやや小さくした円弧形状で、下部は先端の鋸状の刃部３３とそれに続く直線部３４とからなっており、回動軸孔３１を中心として刃部３３の対称方向の斜め上方には柄部３５が設けられ、この柄部３５は組み立て後に外枠体２から突出し、突出部分のほぼ中心にはリング状装着部材４を嵌挿するための孔部３６が設けられている。
【０００９】
上述したように、柄部３５の孔３６にはリング状装着部材４が装着され、そのリング状装着部材４にはワンタッチで腰ベルトＢに適所に係止することが可能な開閉口５１付き装着部材５が装着されている。
なお、装着部材４、５は、釣り人が使い易い長さにするために適宜に鎖等を介在させて適当な長さにすればよい。
本発明の調節留具１は、前記の外枠体２と食込部材３とを図４に示す固定部材６で組み合わせるが、外枠体221の孔２７と食込部材３の孔３１を貫通するようにボルト６１を差し込んで、ボルト６１の先端は反対側の外枠体222でワッシャー６２およびナット６３で縲合して固定する。この際、食込部材３の孔３１はボルト６１の直径より幾分大きいので食込部材３の回動は自由である。
【００１０】
次に、上記部材の組み立て手順を図５から図７を用いて説明するが、釣り人のだれもが簡単に組み立てることができるようにしたもので、極めてわずかな部材から構成され、極めて簡単な作業で友釣り曳船保持紐の長さ調節留具の組み立てが完成する。しかも、釣り人が、従来から使用している曳船の保持紐に簡単に装着できるものである。
（１）（第１スッテップ）図５において、外枠体２の一対の平板部２２の上部開口Ｙ（図５（b）を参照）に曳船Ｃの保持紐Ｄの適所を挿入し、さらに円筒部２１まで押し込んで、保持紐Ｄが円筒部２１の筒状内を左右に自由にスライドし移動できるようにする。
（２）（第２スッテップ）図６において、装着部材４、５が取り付けられた食込部材３を一対の平板部２２に挟まれた上部開口Ｙに挿入する。
（３）（第３スッテップ）図７において、一対の平板部２２間に食込部材３を挿入し終えたら、外枠体２の平板部２２の孔２７と食込部材３の孔３１を一致させ、その孔２７，３１に固定部材６であるボルト６１を差込、反対側の先端を平板部２２でワッシャー６２およびナット６３で縲合して固定する。
【００１１】
そこで、長さ調節留具１の作動を図８、図９を用いて説明するが、図１に示すように調節留具１を装着部材４を用いて、腰ベルトＢに適所に係止し、調節留具１で保持紐Ｄを長さを変える場合は図８に示すように、外枠体２の円筒部２１の装着部材が取り付け側の端部の把持部Ｚ１と、食込部材３の柄部３５とを片手の親指Ｆ１と人差し指Ｆ２とで矢印方向、すなわち接近するように押し圧すると、食込部材３の鋸状の刃部３３は保持紐Ｄから離れた位置に待機し、円筒部２１の内径は保持紐Ｄの直径より幾分大きいので、保持紐Ｄは長手方向に自由に移動することが可能となり、適宜、他の片手で保持紐Ｄをたぐり寄せるか引き出すかの作業をして、友釣り用の曳船Ｃと長さ調節留具１との距離を所望の長さに保持紐Ｄを調整すればよい。
【００１２】
次に、保持紐Ｄの調整作業を終了した場合は、片手を離せば図９に示すように、調節留具１は友釣り曳船Ｃが矢印方向に流されていることから、調節留具１も腰ベルトＢから離れる矢印Ｈの方向に移動しようとする力が常に働くから、食込部材３の柄部３５は上方向に引っ張られ、そのため食込部材３は孔２７を中心として矢印Ｊのように回動し、食込部材３の先端の鋸状の刃部３３は保持紐Ｄに食い込むことになり、結果として、保持紐Ｄはしっかりと係止され、友釣り用の曳船Ｃと長さ調節留具１との距離は所望の長さに維持される。
この実施例の保持紐Ｄへの食込部材３の食い込み力は、友釣り曳船Ｃが流される力を利用したので、バネなどの部材を使用しておらず、釣り等の過酷な現場においては組み立て作業や保守に対しても極めて有効である。
しかも、食込部材３は友釣り曳船Ｃの引っ張られる力を利用するから、保持紐Ｄの太さには関係なく、従来から使用している曳船の大概の保持紐に適応して長さ調節留具として使用可能である。
【００１３】
ここで、別の調節留具１の実施例を図１０に示して説明するが、第１の実施例における平板部２２（221,222）の片側の直線部２４と円筒部２１の一部を切欠した切欠部２８を設けたことと、リング状装着部材４と開閉口５１付き装着部材５の間に鎖部材４２を設けたこと以外は第１の実施例と同じである。
この実施例は、保持紐Ｄの挿入が簡単であるが、多少、保持紐Ｄが調節留具１に絡みやすい。また、任意の長さの鎖部材４２を設けたので、調節留具１を作業しやすい位置に持ってこれるという利点がある。
【００１４】
本発明の特徴を損なわない構成であれば、上述した実施例にとらわれないことは勿論であり、例えば、保持紐Ｄへの食込部材３の食い込み力は、必要に応じて、食込部材３が回動するようにバネ等と弾力を用いても良いことは勿論である。また、鮎釣りばかりでなく、他の曳船と同等の釣具の保持紐の長さ調節留具として用いて良いことも勿論である。
【００１５】
【発明の効果】
以上説明したように、請求項１の発明は、友釣り用の曳船と釣人のベルトとを繋ぐ保持紐に用いるものであって、該保持紐の友釣り用の曳船と釣人のベルトとの間を所望の長さに調節可能な長さ調節部材を設け、該調節部材にはベルトに装着可能な装着部材を設けた保持紐の長さ調節留具であるから、釣りの最中に、友釣り用の曳船と釣人のベルトとを繋ぐ保持紐の長さを簡単に変えることができ、なおかつその長さを自動的に保持して、両手を自由にして他の作業を両手で行えるという効果が得られ、また、釣り人が、従来から使用している曳船の保持紐に簡単に装着できるという効果も得られる。
請求項２の発明は、上記の効果に加えて、長さ調節部材が曳船が流れに曳かれる作用によって保持紐に自動的に食い込む食込部材としたので、前記の効果に加えて、バネなどの部材を使用しておらず、釣り等の過酷な現場においては組み立て作業が簡単で、保守も簡単であるという効果が得られる。
【図面の簡単な説明】
【図１】本発明の実施例の保持紐に長さ調節留具を友釣り曳船に使用した状態の全体の概略を示す図である。
【図２】図２(ａ)は、本発明の実施例の調節留具の外枠体の正面図、図２(ａ)はその右側面図である。
【図３】図３(ａ)は、本発明の実施例の食込部材の正面図、図３(ｂ)はその(1)-(1)線での断面図である。
【図４】本発明の実施例の固定部材を説明する説明図である。
【図５】本発明の実施例の長さ調節留具の組み立て手順を説明する第１スッテプの説明図である。
【図６】本発明の実施例の長さ調節留具の組み立て手順を説明する第２スッテプの説明図である。
【図７】本発明の実施例の長さ調節留具の組み立て手順を説明する第３スッテプの説明図である。
【図８】 本発明の実施例の長さ調節留具で保持紐を長さを変える場合の調節留具の動作を説明する作動説明図であり、図８(a)はその正面図、図８(b)はその(2)-(2)線での断面図である。
【図９】本発明の実施例の長さ調節留具で保持紐を長さを保持する場合の調節留具の動作を説明する作動説明図である。
【図１０】本発明の別の実施例の調節留具を説明する説明図である。
【符号の説明】
Ａ…釣り人、Ｂ…腰ベルト、Ｃ…友釣り用の曳船、Ｄ…保持紐、
Ｅ…保持紐の末端部、Ｆ1…親指、Ｆ2…人差し指
１…調節留具
２…外枠体、２１…円筒部、  211…内壁、22,221,222…平板部
２３…扇状部、２４…直線部、２５…逆円弧状部、
26,261,262…側面部、263,264…側面部端面、２７…孔、
３…食込部材、３１…回動軸孔、３２…背部、３３…鋸状刃部、
３４…直線部、３５…柄部、３６…孔部
４…リング状装着部材、41…鎖部材
５…装着部材、51…開閉口、
６…固定部材、６１…ボルト、６２…ワッシャー、６３…ナット
【図１】
2004187647.tif 000003
【図２】
2004187647.tif 000004
【図３】
2004187647.tif 000005
【図４】
2004187647.tif 000006
【図５】
2004187647.tif 000007
【図６】
2004187647.tif 000008
【図７】
2004187647.tif 000009
【図８】
2004187647.tif 000010
【図９】
2004187647.tif 000011
【図１０】
2004187647.tif 000012